(57)【要約】 【発明が解決しようとする課題】  従来の虹彩認証システムでは、写真、印刷物、或いは義眼などを用いて認証することにより、他人へのなりすましができたり、他人と区別ができなくなったりするという問題があった。そしてその点を悪用した不正取引が容易にできてしまう状態にあった。【課題を解決するための手段】  視線ランダム誘導手段、視線追跡法による視線動作正当性判断手段等の構成により、写真、印刷物、義眼など不正なもの、即ち本物の眼球でないものでは、認証が不可能になったため、上記のような眼球以外のもので「なりすまし」等の不正を防止できるようになる。  又、二回撮影し、その虹彩コードを照合し照合ができた場合のみ、認証が可能としたので、取引時、本物の眼球で（もちろん不正者のもの）視線動作のみ正当と判断して、その後写真や印刷物、義眼などを認証しようとしても二回の撮影結果が一致しない限り認証処理は行なわない為、上記のような、複雑な不正行為も確実に防止できる。【選択図】 図２
2006085226.tif 000002
【特許請求の範囲】
【請求項１】
虹彩の画像特徴により人物確認を行なう虹彩認証システムであって、
(1)  虹彩の撮影を行なう前に人物の視線をランダムに動かすように誘導する視線ランダム誘導手段と、
(2)  前記(1)の手段による視線動作が、誘導された通りの動作を正しく行なったかどうかを視線追跡法により判断する視線動作正当性判断手段と、
(3)  前記(2)の手段により、撮影を行なおうとする対象物が正当な眼球であるか否かを判断する撮影対象物正当性判断手段と、
を備え、前記(3)の手段により、前記対象物が眼球以外の場合には、認証データとしての撮影を行なわないことを特徴とした虹彩認証における不正検出システム。
【請求項２】
前記(1)の手段には、音声アナウンスによる誘導も含むこととした請求項１の虹虹彩認証における不正検出システム。
【請求項３】
請求項１による虹彩認証における不正検出システムであって、
(4)  前記(3)の手段により、撮影対象物が眼球に他ならないと判断すると、当該虹彩を撮影し、その虹彩コードに変換して記憶部に記憶しておく第一の記憶手段と、
(5)  さらに前記(4)の手段を再度繰り返し、当該虹彩画像を虹彩コードに変換して記憶部に記憶しておく第二の記憶手段と、
(6)  前記(4)及び(5)の手段で記憶された二つの虹彩コードを照合する手段と、
を備え、
前記(6)での照合結果が成功したならば、当該虹彩コードを正しいものとすることを特徴とした虹彩認証における不正検出システム。
【発明の詳細な説明】
【技術分野】
【０００１】
本発明は、虹彩認証システムにおける偽造検出に関するものである。
【背景技術】
【０００２】
一般に虹彩認証システムとは、人物の虹彩の模様を認識する事によって、複数の人物の中から個人を特定したり、あるいは、ユーザが本人であるかどうかを確認したりする事が出来るシステムであり、バイオメトリクス情報（生体情報）での個人認証として広く適用されてきており、さらに今後も個人認証手段を必用とする多くの業務システムにおいて使用されようとしているものである。事実、厳重なセキュリティが求められている金融機関における自動取引装置の取引においてもキャッシュカードや暗証番号を使用せず、より簡単に、しかもより安全な取引を可能にしている（例えば、特許文献１参照。）。
【特許文献１】特開平９−１９８５１０号公報
【発明の開示】
【発明が解決しようとする課題】
【０００３】
しかしながら、従来の虹彩認証システムでは、写真、印刷物、或いは義眼などを用いて認証することにより、他人へのなりすましができたり、他人と区別ができなくなったりするという問題があった。そしてその点を悪用した不正取引が容易にできてしまう状態にあった。
本発明は、上記問題点を解決するためになされたものであり、虹彩認証システムでの不正認証による取引を完全に防ぐためのシステムを提供する事を目的とする。
【課題を解決するための手段】
【０００４】
上記課題を解決するために本発明は、虹彩の画像特徴により人物確認を行なう虹彩認証システムにおいて、虹彩の撮影を行なう前に人物の視線をランダムに動かすように誘導する視線ランダム誘導手段と、前記手段による視線動作が、誘導された通りの動作を正しく行なったかどうかを視線追跡法により判断する視線動作正当性判断手段と、前記手段により、撮影を行なおうとする対象物が正当な眼球であるか否かを判断する撮影対象物正当性判断手段とを備え、前記手段により、前記対象物が眼球以外の場合には、認証データとしての撮影を行なわないことを特徴とした。
【０００５】
又、前記誘導の手段には、音声アナウンスによる誘導も含むこととした。
尚、セキュリティ効果を上げるため、前記の手段により、撮影対象物が眼球に他ならないと判断すると、当該虹彩を撮影し、その虹彩コードに変換して記憶部に記憶しておく第一の記憶手段と、さらに前記の手段を再度繰り返し、当該虹彩画像を虹彩コードに変換して記憶部に記憶しておく第二の記憶手段と、記憶された二つの虹彩コードを照合する手段とを備え、前記での照合結果が成功したならば、当該虹彩コードを正しいものとすることを特徴とした
【発明の効果】
【０００６】
視線ランダム誘導手段、視線追跡法による視線動作正当性判断手段等の構成により、写真、印刷物、義眼など不正なもの、即ち本物の眼球でないものでは、認証が不可能になったため、上記のような眼球以外のもので「なりすまし」等の不正を防止できるようになる。
【０００７】
又、二回撮影し、その虹彩コードを照合し照合ができた場合のみ、認証が可能としたので、取引時、本物の眼球で（もちろん不正者のもの）視線動作のみ正当と判断して、その後写真や印刷物、義眼などを認証しようとしても二回の撮影結果が一致しない限り認証処理は行なわない為、上記のような、複雑な不正行為も確実に防止できる。
【発明を実施するための最良の形態】
【０００８】
以下に図面を参照して本発明による虹彩認証システムについての実施例を説明する。 
【実施例１】
【０００９】
図１は、本願発明のシステム構成図（例）である。図１においては、個人認証を必要としたある業務アプリケーションを行なうための虹彩認証システムの構成例である。
【００１０】
図において、虹彩撮影装置１は、のぞき穴からのぞいた人物（以下ユーザと称す）の目の虹彩を撮影するものであるが、撮影の前にユーザの眼球をランダムに動かすよう誘導し、視線追跡法によって、写真、印刷物、義眼などの不正ではなく人の眼球であることを確認し、その上で撮影を行なうようにしたものである。ここで視線追跡法とは一般にそう呼ばれている原理であり、眼球の視線方向を検出するものである。ここでは後に詳細を説明するが、のぞき穴からのぞいた時、なにかしらユーザがランダムに眼球を動かすような誘導により動いた眼球の視線が、誘導手段にかなうような動きをしているかを検出し、間違いなく正当な撮影物、すなわち人物の眼球であるということをチェックするものである。
【００１１】
次に虹彩コード照合装置２は、虹彩撮影装置１により、正当な眼球と判断され、撮影されたユーザの虹彩画像をユニークとなるコードに変換し、個人認証が必要な業務を行なうために予め特定のユーザの虹彩コードが蓄積されている業務ＡＰ用登録虹彩コードデータベース３にアクセスし、ユーザの個人認証を行なう。業務アプリケーション装置４は、本願発明とは直接関係無いが、本願発明を実施して、個人認証に成功すると何かしらの業務アプリケーションを行なう装置である。
【００１２】
次に図２は、図１で説明した装置について、さらに機能を詳細に記載した本願発明の各装置機能ブロック図である。
図２において、まず、虹彩撮影装置１では、ユーザが虹彩画像を写すためにのぞくためののぞき部１１、よりよく虹彩を写すための近赤外光を照射する近赤外照明部１２がある。
【００１３】
ホットミラー１４とは赤外線を反射し、可視光を通す蒸着をした鏡の事である。従って、近赤外照明を使用した場合、虹彩の画像はミラーを反射し、虹彩画像のみCCDカメラ１３で撮影できる。この撮影の前に液晶ディスプレイ１５は、誘導マーク表示制御部１６により、あるマークがランダムに動く画像を表示する。例えばのぞき穴からは、図３に例示したようにスターマークがランダムに動くのが見える。そしてこのマークのランダム異動は、ユーザがマークの動きを追うように動くよう誘導する。そして液晶ディスプレイ１５に映っているマークなどは、ホットミラー１４に遮られて、CCDカメラ１３には映らないようになっている。こうして、ＣＣＤカメラ１３に撮影されたユーザの虹彩は、視線検出部１７で検出され視線追跡部１８は、先に説明したように、視線追跡法により、ユーザの虹彩が、液晶ディスプレイ１５に写されたランダムに動くマークの軌道と合っているかを確認する。撮影物正当性判断部１９は、ユーザの虹彩が、液晶ディスプレイ１５に写されたランダムに動くマークの軌道と合っていれば、正当な人物の虹彩であると判断し、ユーザの虹彩のように見えても、全く動かなかったりしたばあいは、写真、印刷物、義眼などの不当なデータと判断する。不当なデータの場合、例えばＣＣＤカメラ１３にて撮影すらしないようにしても撮影物正当性判断部にてなんらかのアクションを起しても構わない。
【００１４】
虹彩コード照合装置２では、撮影された虹彩画像をコードに変換し、照合部２２にて、任意のアプリケーション業務にとっての正当性があるか、最終的な個人認証を行なう。これ以降は、本願発明部とは関係がなく、どのような業務アプリケーションに使用されていても説明は割愛する。
【００１５】
＜実施例１の動作＞
以上説明をした構成に元づき、図４により本願実施例１の動作の流れを説明する。
Ｓ１１：ユーザが虹彩撮影装置１ののぞき部１１より中をのぞくと、ホットミラー１４を通して、液晶ディスプレイ１５に誘導マーク表示制御部１６によるランダムに動くマーク(例えば図３のように)が見える。
【００１６】
Ｓ１２：ユーザはランダムに動くマークを視線で追いかける。（ランダムに動くマークが見えるだけで、そのマークの動きを追ってしまうと考えるが、ここで図示しない音声部で、たとえば「マークの動きを見てください。」など適切な誘導があれば、尚良い場合もある。）
【００１７】
Ｓ１３：視線追跡部１８は、視線追跡法によってマークの動きとユーザの視線の動きを比較する。
Ｓ１４：Ｓ１３の比較処理の結果、不一致であれば、写真、印刷物、義眼など不正なものである可能性があると判断して処理を終える。
Ｓ１５：Ｓ３の比較処理の結果、一致であれば、ユーザの生体としての眼球と判断する。
【００１８】
Ｓ１６：マークが認証に適切な位置へユーザの視線を誘導する。
Ｓ１７：照合部２２によりユーザの虹彩の認証処理を行なう。
【実施例２】
【００１９】
＜実施例２の構成＞
実施例２のシステム構成などは、上述で説明した実施例１と全く同じなので割愛する。
ところで、実施例２は、最初に不正なユーザがのぞき部１１を見て、中のマークのランダムな動きに視線を合わせて、システム側でユーザの生体としての眼球と判断させておいて、ＣＣＤカメラ１３が撮影を開始する直前に不正物(写真、印刷物。義眼など)に変更するようにし結果として、不正が発生する場合がある。
【００２０】
このようなケースの不正も検知するシステムが実施例２のシステムである。すなわち、実施例１での検知動作を行ないながらも、虹彩画像の撮影を２回行ない、その２回の虹彩データを照合部２２で照合し、照合に成功しなければ、上述のような何かしらの不正があったと判断するものである。
【００２１】
＜実施例２の動作＞
図５により本願実施例２の動作の流れを説明する。
Ｓ２１：ユーザが虹彩撮影装置１ののぞき部１１より中をのぞくと、ホットミラー１４を通して、液晶ディスプレイ１５に誘導マーク表示制御部１６によるランダムに動くマーク(例えば図３のように)が見える。
【００２２】
Ｓ２２：ユーザはランダムに動くマークを視線で追いかける。（ランダムに動くマークが見えるだけで、そのマークの動きを追ってしまうと考えるが、ここで図示しない音声部で、たとえば「マークの動きを見てください。」など適切な誘導があれば、尚良い場合もある。）
【００２３】
Ｓ２３：視線追跡部１８は、視線追跡法によってマークの動きとユーザの視線の動きを比較する。
Ｓ００：Ｓ２３の比較処理の結果、不一致であれば、写真、印刷物、義眼など不正なものである可能性があると判断して処理を終える。
Ｓ２４：ＣＣＤ１３カメラ１３にて、ユーザの虹彩画像を撮影する。
Ｓ２５：虹彩コード作成部２１にて虹彩コードを図示しない第一の記憶部に記憶する。
【００２４】
Ｓ３１：ユーザが虹彩撮影装置１ののぞき部１１より中をのぞくと、ホットミラー１４を通して、液晶ディスプレイ１５に誘導マーク表示制御部１６によるランダムに動くマーク(例えば図３のように)が見える。
【００２５】
Ｓ３２：ユーザはランダムに動くマークを視線で追いかける。（ランダムに動くマークが見えるだけで、そのマークの動きを追ってしまうと考えるが、ここで図示しない音声部で、たとえば「マークの動きを見てください。」など適切な誘導があれば、尚良い場合もある。）
【００２６】
Ｓ３３：視線追跡部１８は、視線追跡法によってマークの動きとユーザの視線の動きを比較する。
Ｓ００：Ｓ３３の比較処理の結果、不一致であれば、写真、印刷物、義眼など不正なものである可能性があると判断して処理を終える。
【００２７】
Ｓ３４：ＣＣＤ１３カメラ１３にて、ユーザの虹彩画像を撮影する。
Ｓ３５：虹彩コード作成部２１にて虹彩コードを図示しない第二の記憶部に記憶する。
Ｓ４１：第一の記憶部と第二の記憶部の虹彩コードを照合。
Ｓ４２：Ｓ４１の照合の結果、失敗であれば、不正があったものとして処理を終える。
Ｓ４３：照合部２２によりユーザの虹彩の認証処理を行なう。
【００２８】
以上実施例１と実施例２について詳細に説明してきたが、勿論この説明で発明が限定されるものではない。たとえば、虹彩の撮影を行なう前に人物の視線をランダムに動かすように誘導する視線ランダム誘導手段は、ランダムに動くマークとして光を用いたり、または物理的な機構などでもよい。ユーザの眼球を動かすように誘導できればどのような方法でも可能である。
【図面の簡単な説明】
【００２９】
【図１】本願発明のシステム構成図（例）
【図２】本願発明の各装置機能ブロック図（例）
【図３】カメラをのぞくと見える視線誘導マーク表示のイメージ図（例）
【図４】実施例１における動作の流れ
【図５】実施例２における動作の流れ
【符号の説明】
【００３０】
１    虹彩撮影装置
２    虹彩コード照合処理
３    業務ＡＰ用登録虹彩コードのデータベース
４    業務アプリケーション装置
１１    のぞき部
１２    近赤外照明部  
１３    ＣＣＤカメラ
１４    ホットミラー
１５    液晶ディスプレイ
１６    誘導マーク表示制御部
１７    視線検出部
１８    視線追跡部
１９    撮影物正当性判断部
２１    虹彩コード作成部
２２    照合部
【図１】
2006085226.tif 000003
【図２】
2006085226.tif 000004
【図３】
2006085226.tif 000005
【図４】
2006085226.tif 000006
【図５】
2006085226.tif 000007